(57)【要約】【課題】連続紙に対する連続構成の両面印刷システムにおいて、機密性を有する内容を含む印刷を中断した場合に、印刷装置間において印刷内容が外部から見えてしまう問題を解決する。【解決手段】連続紙に対する印刷を中断させる旨の指示が出された際に、印刷装置１３０と印刷装置１４０との間に位置する印刷用紙上に機密保持が必要な印刷が存在するか否か、を判定する。装置間に機密保持が必要な印刷が存在している場合、印刷装置１３０側から白紙ページをその機密内容の印刷が印刷装置１４０内に隠れるまで挿入する。また、機密保持が必要のない印刷が、装置間に存在する場合は、そのまま印刷を中断する。こうすることで、機密の漏洩と用紙の無駄な消費を抑えることができる。【選択図】図１
2008037077.tif 000002
【特許請求の範囲】
【請求項１】
連続紙に印刷を行う印刷装置を連続して配置した連続紙印刷システムであって、
連続紙の搬送手段と、
前記搬送手段の制御手段と、
印刷ジョブのジョブ属性がセキュリティー保持を必要とするジョブ属性であるか否かを判定する判定手段と
を備え、
印刷ジョブの実行中において、前記制御手段に対して、前記連続紙の搬送停止が指示された場合に、
前記ジョブ属性がセキュリティー保持を必要とするジョブ属性であれば、
前記制御手段は、前記連続配置された印刷装置間にダミーページを挿入する制御を行うことを特徴とする連続紙印刷システム。
【請求項２】
前記印刷ジョブには、セキュリティー保持を必要とするジョブ属性を有する印刷ジョブとそうでない印刷ジョブとが含まれており、
前記印刷ジョブの実行中において、前記制御手段に対して、前記連続紙の搬送停止が指示された場合に、
前記判定手段は、前記セキュリティー保持を必要とするジョブ属性を有する印刷内容が前記連続配置された印刷装置の間に存在しているか否かを判定し、
この判定結果に基づき前記制御手段は、前記連続配置された印刷装置間にダミーページを挿入する制御を行うことを特徴とする請求項１に記載の連続紙印刷システム。
【請求項３】
オペレータの識別データを認証する認証手段を更に備え、
前記搬送停止が手動制御によって前記制御手段に対して指示された場合、前記制御手段は、前記認証の結果に基づいて前記ダミーページを挿入する制御を実行することを特徴とする請求項１または２に記載の連続紙印刷システム。
【請求項４】
連続紙に印刷を行う印刷装置を連続して配置した連続紙印刷システムを用いた印刷方法であって、
印刷ジョブの実行中において、前記連続紙の搬送停止が指示される指示ステップと、
前記ジョブ属性がセキュリティー保持を必要とするジョブ属性であるか否かを判定する判定ステップと、
前記判定結果に基づき、前記連続配置された印刷装置間にダミーページを挿入する制御ステップと
を備えることを特徴とする印刷方法。
【発明の詳細な説明】
【技術分野】
【０００１】
本発明は、印刷装置を２台連続して配置し、連続紙に対して両面印刷を行う印刷システムに係り、特に印刷を途中で停止させた場合におけるセキュリティーを確保するために、印刷の停止時に連続配置された印刷装置間に白紙などのダミーページを挿入する技術に関する。
【背景技術】
【０００２】
伝票や請求書とった印刷物を大量に印刷する必要がある基幹業務においては、印刷装置を２台連続して配置し、長尺状の連続紙に対する両面印刷を行う方法が利用されている。この印刷システムにおいては、２台の印刷装置間に用紙の表裏を反転させる用紙反転ユニットおよび用紙の搬送状態を調整するバッファユニットが配置され、１台目の印刷装置において一方の面の印刷が行われ、２台目の印刷装置において他方の面の印刷が行われる。この印刷システムは、連続紙を数十ｍ／分以上というような高速で出力するため大型であり、また上述した連続構造をフレキシブルに構成できるように、各装置は独立している。このため、この印刷システムにおいて、装置間は剥きだしの状態になっている。この技術に関しては、例えば特許文献１に記載されている。
【０００３】
【特許文献１】特開２００５−２１９３３３
【発明の開示】
【発明が解決しようとする課題】
【０００４】
ところで、印刷状態の確認等を行うために、印刷を一時停止する場合がある。この際、上述した連続構造の印刷システムにおいては、印刷装置間が剥きだしであるため、印刷内容が第三者に見られる可能性がある。特に基幹業務で利用される印刷装置は、大型であるので、印刷装置間において用紙が目にできる距離も長い。そのため、印刷の一時停止時に印刷内容が第三者の目に触れ易い。印刷内容が、個人データを含む場合、それが第三者の目に触れないようにセキュリティーを確保する必要がある。このため、上述した連続構成の印刷システムにおいては、印刷の一時停止時に印刷装置間で露出する印刷物を何らかの方法により人目に付かないようにする必要がある。この問題を解決する方法として、システム全体をカバーで覆う構造が考えられるが、連続配置した印刷システムは、設置場所に応じて、フレキシブルに装置を設置できる点が特徴の一つであり、システム全体をカバーで覆うような構造は、コスト的に難しい。
【０００５】
そこで本発明は、２台の印刷装置を連続配置した印刷システムにおいて、印刷を一時停止した際に、印刷装置間において機密性の高い印刷内容が人目に触れないようにする構成を提供することを目的とする。
【課題を解決するための手段】
【０００６】
本発明は、連続紙に印刷を行う印刷装置を連続して配置した連続紙印刷システムであって、連続紙の搬送手段と、前記搬送手段の制御手段と、印刷ジョブのジョブ属性がセキュリティー保持を必要とするジョブ属性であるか否かを判定する判定手段とを備え、印刷ジョブの実行中において、前記制御手段に対して、前記連続紙の搬送停止が指示された場合に、前記ジョブ属性がセキュリティー保持を必要とするジョブ属性であれば、前記制御手段は、前記連続配置された印刷装置間にダミーページを挿入する制御を行うことを特徴とする。
【０００７】
本発明によれば、印刷中断の指示が制御手段に対して行われた際に、印刷ジョブにセキュリティー保持を必要とするような印刷内容が含まれているか否か、が判定され、セキュリティー保持を必要とする印刷である場合、連続配置された印刷装置間に位置する印刷物が、次段の印刷装置内に隠れるよう印刷装置間にダミーページの挿入が行われる。これにより、機密性の高い印刷内容が印刷装置間において露出することが防止される。
【０００８】
ダミーページとしては、白紙や第三者に見られても構わない内容を印刷したものを挙げることができる。ページの割り振りは、Ａ４用紙等の所定規格の寸法を１ページの大きさとし、先頭から１〜ｎページを割り振ることで設定される。ページの寸法は、印刷内容に合わせて任意に設定することができる。連続配置とは、印刷装置を前後２段に並べて配置し、前段の印刷装置において連続紙の一方の面への印刷を行い、後段の印刷装置において、連続紙の他方の面への印刷を行う印刷装置の配置構造のことをいう。連続配置される２台の印刷装置は、同じ基本構造の印刷装置とし、途中で用紙を反転させるシステムとすることが、コストや印刷装置の汎用性を高める上で有用である、しかしながら、前段の印刷装置に表面印刷用の専用マシンを用意し、後段の印刷装置に裏面印刷用の専用マシンを用意することもできる。連続配置における２台の印刷装置の配置構造としては、用紙の表裏を反転させる用紙反転ユニットを間に配置し、それを頂点としたくの字形状に２台の印刷装置を配置する態様を挙げることができる。しかしながら、２台の印刷装置を一直線状に配置することもできる。
【０００９】
印刷ジョブというのは、印刷の内容に関するデータ（描画コマンド）、印刷条件のデータ（例えばフォントの設定データ等）、および印刷の種類等の属性に関するデータを含んだ印刷データのことをいう。ジョブ属性は、その印刷内容の属性を示すデータ（コマンド）によって識別される。本発明においては、ジョブ属性として、セキュリティー保持を必要とする印刷内容であるのか否かを識別するためのデータが利用される。連続紙の搬送停止の指示が行われる契機としては、制御用の端末や制御操作部に対する印刷中断操作が行われた場合、紙詰まりや印刷不良が検出された場合、セキュリティーシステムから異常検知信号が出力された場合、停電の発生が検出された場合等を挙げることができる。
【００１０】
本発明において、印刷ジョブには、セキュリティー保持を必要とするジョブ属性を有する印刷ジョブとそうでない印刷ジョブとが含まれており、前記印刷ジョブの実行中において、制御手段に対して、連続紙の搬送停止が指示された場合に、判定手段は、前記セキュリティー保持を必要とするジョブ属性を有する印刷内容が連続配置された印刷装置の間に存在しているか否かを判定し、この判定結果に基づき前記制御手段は、前記連続配置された印刷装置間にダミーページを挿入する制御を行うことが望ましい。この態様によれば、用紙の搬送停止時に、判定手段により、前段および後段の印刷装置間の印刷用紙が露出する部分に、セキュリティー保持を必要とする印刷物が存在しているのか否か、が判定される。そして、用紙の搬送停止時に印刷装置間にセキュリティー保持を必要とする印刷内容が存在していれば、その部分が次段の印刷装置内に隠れる位置に移動するまで、ダミーページの挿入が行われる。こうすることで、用紙の搬送停止時に、セキュリティー保持を必要とする印刷内容が外部に露出しないようにすることができる。また、印刷停止時にセキュリティー保持を必要としない内容が印刷装置間に位置する場合は、ダミーページの挿入制御が行なわれないので、無駄に紙資源を消費することがない。
【００１１】
本発明において、オペレータの識別データを認証する認証手段を更に備え、搬送停止が手動制御によって制御手段に対して指示された場合、制御手段は、前記認証の結果に基づいてダミーページを挿入する制御を実行することが望ましい。この態様によれば、認証手段により搬送停止操作を行ったオペレータが識別され、オペレータが印刷内容を見ることを許された人間であるか否か、が判定される。例えば、オペレータが保持するＩＤカードのデータが読み取られ、オペレータが機密情報に接することが許された人間であるか否かが判定される。そして、機密情報に接することが許された人間の操作により、印刷が中断された場合には、印刷装置間において露出した印刷内容を秘匿する必要がないと判定され、ダミーページの挿入は行なわれない。また、識別データの認証ができなかった場合には、機密情報に接することが許されていない人間の操作により印刷が中断されたと判定され、印刷装置間に当該印刷内容が位置しないようにダミーページの挿入制御が行なわれる。これにより、第三者に印刷した内容が漏れることが防止される。また、この態様によれば、機密情報に接することが許された人間が搬送停止の操作を行った場合には、ダミーページの挿入が行われないので、紙資源の無駄な消費を抑えることができる。
【００１２】
本発明の印刷方法は、連続紙に印刷を行う印刷装置を連続して配置した連続紙印刷システムを用いた印刷方法であって、印刷ジョブの実行中において、前記連続紙の搬送停止が指示される指示ステップと、前記ジョブ属性がセキュリティー保持を必要とするジョブ属性であるか否かを判定する判定ステップと、前記判定結果に基づき、前記連続配置された印刷装置間にダミーページを挿入する制御ステップとを備えることを特徴する。また、この印刷方法の発明は、各ステップをコンピュータに読み取らせて実行させる印刷制御用のプログラムとして把握することもできる。
【発明の効果】
【００１３】
本発明によれば、２台の印刷装置を連続配置した印刷システムにおいて、印刷を一時停止した際に、印刷ジョブのジョブ属性が判定されて、セキュリティー保持を必要とするジョブ属性である場合に、それが印刷装置間において露出し、印刷内容が人目に触れないようにダミーページの挿入が行なわれる。これにより、印刷中断時に印刷装置間に存在する印刷用紙の機密性の高い印刷内容が第三者の目に触れないようにすることができる。また、セキュリティー保持を必要としないジョブ属性であれば、ダミーページの挿入が行なわれないので、無駄な用紙の消費を抑えることができる。
【発明を実施するための最良の形態】
【００１４】
１．第１の実施形態
（実施形態の構成）
図１は、発明を利用した印刷システムの概要を示す模式図である。図２は、図１に示す印刷システムの概要を示す概念図である。図１に示す印刷システムにおいては、連続配置（重連配置ともいう）された前段の印刷装置１３０と後段の印刷装置１４０とが制御端末１００によって制御される。制御端末１００は、端末本体１０２、キーボード１０３、ディスプレイ１０４を備え、フロントエンド印刷コントローラ１０１が接続されている。端末本体１０２は、フロントエンド印刷コントローラ１０１を操作するのに必要な制御プログラムを記憶し、また後述する印刷中断処理に関する動作プログラムを記憶している。また、これらプログラムを実行する機能を備えている。キーボード１０３は、制御端末１００の操作を行う際に利用される。なお図示省略されているが、端末１０３は、通常のマウスを用いたＧＵＩ（グラフィカル・ユーザ・インターフェース）による操作機能も備えている。ディスプレイ１０４は、制御端末１００の操作に必要な情報を表示する。
【００１５】
フロントエンド印刷コントローラ１０１は、記録媒体やネット経由で入力される印刷データを記憶し、また印刷コントローラ１２２および１２４に印刷に必要な描画コマンド、印刷条件の制御データ、そして印刷タイミング等を制御するための制御信号を出力する。この例においては、両面印刷を行うので、例えば印刷コントローラ１２２に１ページ目、３ページ目、５ページ目と奇数ページの描画コマンドが送られ、印刷コントローラ１２４に２ページ目、４ページ目、６ページ目と偶数ページの描画コマンドが送られる。また、制御端末１００には、停電時における制御端末１００の電源電力をバックアップするためのＵＰＳ（無停電電源装置）１１０が接続されている。
【００１６】
印刷装置１３０は、前段側の印刷装置であり、印刷コントローラ１２２によって制御される。印刷装置１４０は、後段側の印刷装置であり、印刷コントローラ１２４によって制御される。印刷装置１３０と１４０とは、同じ装置であり、内部のオプションユニットの装着状態の違いによって、前段側印刷装置または後段側印刷装置として使い分けられている。
【００１７】
図２に示すように、印刷装置１３０には、印刷用紙である連続紙を巻き取った印刷用紙ロール１３１ａを備えた印刷用紙装着ユニット１３１が装着されている。また、印刷装置１３０には、片面への印刷が終了した印刷用紙を印刷装置１３０外に搬出する用紙搬出ユニット１３７が装着されている。印刷装置１３０は、印刷用紙ロール１３１ａから巻き出された印刷用紙１３２を搬送するための搬送ユニット１３３を備えている。また、搬送される印刷用紙１３２にトナー画像を２次転写する転写ドラム１３４、トナー画像を転写ドラム１３４に１次転写する感光体ドラム１３５が配置されている。感光体ドラム１３５には、図示しないＲＯＳ (raster optical scanner)と呼ばれる露光用走査装置によって静電的に潜像が形成される。この潜像に対応して図示しない現像装置からトナーが感光体ドラム１３５上に選択的に供給され、感光体ドラム１３５の表面にトナー画像が形成される。このトナー画像は、感光体ドラム１３５から転写ドラム１３４に１次転写され、その１次転写画像が、印刷用紙１３２に２次転写される。
【００１８】
符号１３６は、フラッシュ定着部である。フラッシュ定着部１３６は、搬送途中において通過する印刷用紙上のトナー画像を瞬間的に加熱し、画像の定着を行う。フラッシュ定着部は、キセノンランプ１３６ａを備え、このキセノンランプの発光に伴う熱によって、トナーの定着が行なわれる。トナー画像の定着が行なわれた印刷用紙１３２は、用紙搬出ユニット１３７から装置外に搬出される。
【００１９】
符号１３８は、印刷装置１３０の動作を制御するための内部制御ユニットである。内部制御ユニット１３８は、適当な規格のネットワークによって印刷コントローラ１２２に接続され、印刷コントローラ１２２から、描画コマンド、印刷条件の制御データ、そして印刷タイミング等を制御するための制御信号を受ける。
【００２０】
印刷装置１３０は、印刷用紙１３２に対して、重連マークの印刷を行なう。この重連マークは、所定の間隔で印刷内容に関係なく印刷される。この重連マークは、印刷装置１４０における裏面側への印刷を行なう際に位置合わせのためのマークとして機能する。また重連マークは、連続紙である印刷用紙１３２におけるページ位置を確定するためのマークとしても機能する。
【００２１】
図１および図２に示すように、連続配置された印刷装置１３０と印刷装置１４０との間には、バッファ兼補助搬送ユニット１２５および用紙反転ユニット１２６が配置されている。バッファ兼補助搬送ユニット１２５は、印刷装置１３０と印刷装置１４０との間を搬送される印刷用紙１３２の搬送状態を安定させ、印刷用紙１３２の弛み、捩れ、ばたつき等を抑える機能を有する。また、バッファ兼補助搬送ユニット１２５は、印刷時において、印刷装置１３０と印刷装置１４０との間に存在する印刷用紙１３２の長さを常に一定にするバッファリング機能を有している。用紙反転ユニット１２６は、印刷装置１３０および１４０の用紙搬送方向に対して、４５度傾いたターンバー１２７を備え、印刷用紙１３２の搬送方向を９０度変えるとともに印刷用紙１３２の表裏を反転させる機能を有する。この機能により、印刷装置１３０において一方の面への印刷が行われた印刷用紙１３２の他方の面に対して、印刷装置１４０における印刷が行われる。
【００２２】
図２に示すように、印刷装置１４０は、用紙搬入ユニット１４１を備えている。用紙搬入ユニット１４１は、用紙反転ユニット１２６によって表裏が反転された印刷用紙１３２を印刷装置１４０内に取り込む機能を有する。用紙搬入ユニット１４１は、印刷装置１３０において印刷された重連マークを検出する光学センサー１４８を備えている。光学センサー１４８の出力信号に基づいて、印刷装置１４０における所定内容の印刷タイミングが制御され、両面印刷に必要な位置合わせが行われる。  
【００２３】
用紙搬入ユニット１４１の後段には、搬送ユニット１４３が配置されている。搬送ユニット１４３は、印刷装置１３０の搬送ユニット１３３と同じである。また、印刷装置１４０は、転写ドラム１４４と感光体ドラム１４５を備えている。転写ドラム１４４は、印刷装置１３０の転写ドラム１３４と同じであり、感光体ドラム１４５は、印刷装置１３０の感光体ドラム１３５と同じである。転写ドラム１４４の後段には、フラッシュ定着部１４６を備えている。フラッシュ定着部１４６は、印刷装置１３０のフラッシュ定着部１３６と同じである。フラッシュ定着部１３６において他方の面における画像が定着された印刷用紙１３２は、用紙巻き取りユニット１４７内で巻き取られる。用紙巻き取りユニット１４７は、両面印刷が終了した印刷用紙１３２を巻き取る巻き取りローラ１４７ａを備えている。
【００２４】
図１および図２に示す構成においては、印刷装置１３０における重連マークの印刷タイミングに関するデータと、光学センサー１４８における重連マークの検出タイミングに関するデータとが、制御ユニット１３８および１４９を経由して印刷コントローラ１２２および１２４に送られる。印刷コントローラ１２２および１２４は、このデータに基づいてページ管理テーブルにおいて、ページ情報をリアルタイムに管理する。フロントエンド印刷コントローラ１０１では、そのデータを解析し、印刷用紙の所定の位置が何処に存在しているのかをリアルタイムに把握する。また、印刷装置１３０および１４０を設置する際に、両印刷装置間に存在する印刷用紙１３２の長さに関するデータがフロントエンド印刷コントローラ１０１に記憶される。これらデータに基づいて、制御端末１００は、印刷の最中において、所定の印刷内容が、印刷装置１３０と１４０の間（つまり印刷装置外）に存在しているのか否かを判定することができる。
【００２５】
また、印刷装置１３０と１４０は、主要部が同一であり、印刷用紙を搬入する部分と搬出する部分のユニットを選ぶことで、前段側の印刷装置と後段側の印刷装置との使い分けがされている。なお、ここでは、普通の連続紙を利用する例を説明したが、連続紙としてカット紙を利用することもできる。カット紙というのは、長尺状の連続紙に所定の間隔でミシン目が形成され、適宜ミシン目の部分で切断可能な連続紙である。カット紙を用いる場合は、ロール状に巻き取らず、ミシン目の部分で交互に折り曲げ、重ねた状態で専用の収容ボックスに格納される。カット紙を用いる場合は、印刷用紙装着ユニット１３１および用紙巻き取りユニット１４７をカット紙に対応したユニットに交換すればよい。また、用紙の供給および回収、さらにカット処理等を行うユニットを別に用意し、それを印刷装置１３０の前段や印刷装置１４０の後段に配置してもよい。
【００２６】
（実施形態の動作）  
図３は、図１および図２に示す印刷システムの動作の一例を示すフローチャートである。連続印刷用紙に対する印刷が行われている最中において、制御端末１００が操作されて印刷の中断が指示されると、図３に示す処理が制御端末１００およびフロントエンド印刷コントローラ１０１において実行される。すなわち印刷の中断が指示されると、図３に示すように印刷中断処理がスタートし（ステップＳ３０１）、当該印刷の印刷ジョブのジョブ属性がセキュリティーモードを示すが否か、が判定される（ステップＳ３０２）。ここで、印刷ジョブ中にセキュリティーモードを示すジョブ属性を示すコマンドが含まれていれば、ステップＳ３０３に進み、そうでなければ、印刷装置の搬送を停止する処理を行い（ステップＳ３０５）、印刷中断処理を終了する（ステップＳ３０６）。
【００２７】
ステップＳ３０３においては、セキュリティー対象となる印刷部分が、前段の印刷装置１３０と後段の印刷装置１４０の間の空間にあるのか否か、を判定する。この際、セキュリティー対象となる印刷が存在するページの情報と、印刷コントローラ１２２と印刷コントローラ１２４それぞれのページ管理テーブルに記憶されているページ情報とがフロントエンド印刷コントローラ１０１において参照され、セキュリティー対象となる印刷が存在するページが、前段の印刷装置１３０と後段の印刷装置１４０との間の空間にあるのか否か、が判定される。
【００２８】
ステップＳ３０３の判定結果がＹＥＳであれば、１ページの空白ページを前段の印刷装置１３０から後段の印刷装置１４０に向かって送り出す処理を実行させるコマンドがフロントエンド印刷コントローラ１０１から印刷コントローラ１２２に対して出力され、またこの空白ページの送り出しに応じた用紙の巻き取りを指示するコマンドがフロントエンド印刷コントローラ１０１から印刷コントローラ１２４に対して出力される（ステップＳ３０４）。ステップＳ３０４が実行されたら、ステップＳ３０３の判定を再度行なう。この段階においても、セキュリティー対象の印刷部分が装置外に存在しているのであれば、再度空白ページを１ページ挿入する処理を実行する（ステップＳ３０４）。一方において、セキュリティー対象の印刷部分が装置外に存在していなければ、ステップＳ３０５に進み、印刷用紙の搬送を停止する。つまり、セキュリティー対象の印刷部分が後段の印刷装置内に収納されるまで、空白ページの挿入処理が行われる。
【００２９】
以上の動作形態によれば、連続紙に対する連続印刷が行われている途中において、印刷を中断する指示が行われると、セキュリティー対象の印刷内容が装置間に存在するか否か、が判定され、装置間に当該印刷内容が存在するのであれば、空白ページが前段の印刷装置から後段の印刷装置に向かって送り出される。これにより、セキュリティー対象の印刷内容が人目に触れないようにする。なお、セキュリティー対象ではない印刷が行われている場合は、ステップＳ３０２の判定がＮＯとなるので、空白ページの挿入は行なわれず、直ぐに印刷用紙の搬送が停止される。
【００３０】
２．第２の実施形態
（実施形態の構成）
本実施形態においては、第１の実施形態の印刷システムにおいて、セキュリティーの対象となる機密性の高い印刷内容を見ることが許されていない人間が印刷の中断操作を行った場合には、空白ページの挿入を行う。そして、セキュリティーの対象となる機密性の高い印刷内容を見ることが許されている人間が印刷の中断操作を行った場合には、空白ページの挿入を行わない。
【００３１】
本実施形態においては、印刷する機密情報に接することが許される関係者に対してパスワードが与えられる。また、制御端末１００を制御する際には、最初にパスワードの入力を要求する画面がディスプレイ１０４上に表示されるように設定されている。そして、当該関係者が制御端末１００を操作する際には、最初に与えられているパスワードをキーボード１０３から入力する。なお、パスワードが与えられていない者が制御端末１００を操作する場合には、パスワードの入力を行わなくてよい。この場合でも端末１００の操作は行うことができる。
【００３２】
所定の関係者を識別するための識別データとしては、上述したパスワード以外に、指紋や虹彩等の生体認証データ、磁気カードやＩＣカードに記憶された電子識別データを利用することができる。これらの識別データを利用する場合には、当該識別データを読み取ることができる適当なインターフェースを用意すればよい。例えば、指紋認証を用いるのであれば、指紋読み取り装置を制御端末１００に接続し、または配置する。そして、端末本体１０２に予め記憶させておいた指紋データと指紋読み取り装置によって読み取られた指紋データとを端末本体１０２内において照合し、真正を判定する。
【００３３】
（実施形態の動作）
図４は、本実施形態の動作の手順の一例を説明するフローチャートである。本実施形態においては、以下の処理が制御端末１００およびフロントエンド印刷コントローラ１０１において実行される。制御端末１００が操作されて印刷の中断が指示されると、印刷中断処理（Ｓ４０１）が開始され、制御端末１００を操作しているオペレータの識別データ（この場合はパスワード）が取得できたか、が判定される（ステップＳ４０２）。識別データが取得できていれば、ステップＳ４０２からステップＳ４０３に進み、そうでなければステップＳ４０２からステップＳ４０４に進む。ステップＳ４０３においては、取得した識別データが、予め制御端末１００内に記憶しておいた識別データと一致するか否か、の照合が行なわれ、識別データの真正が確認されれば、ステップＳ４０７に進んで印刷用紙の搬送を停止する処理が実行され、印刷中断処理を終了する（ステップＳ４０８）。ステップＳ４０３において、識別データの真正が確認できなかった場合、ジョブ属性がセキュリティーモードであるのか否かが判定される（ステップＳ４０４）。ステップＳ４０４の判定の詳細は、図３のステップＳ３０２の判定と同じである。
【００３４】
ジョブ属性がセキュリティーモードであれば、ステップＳ４０４からステップＳ４０５に進み、セキュリティーの対象となる印刷内容が、印刷装置外に存在しているか否かが判定される。ステップＳ４０５において、当該印刷内容が印刷装置外に位置していれば、空白ページを１ページ挿入する処理が実行され（ステップＳ４０６）、そうでなければ、印刷用紙の搬送を停止する処理が行われる（ステップＳ４０７）。空白ページを１ページ挿入しても、なおもセキュリティーの対象となる印刷内容が印刷装置の外に位置している場合、ステップＳ４０５からステップＳ４０６に進み、さらにもう１ページの空白ページの挿入を行なう処理が実行される。そして、セキュリティーの対象となる印刷内容が、装置外に位置していない状態になったら、ステップＳ４０６からステップＳ４０７に進み、印刷用紙の搬送停止が命令され、印刷中断処理が終了する（ステップＳ４０８）。
【００３５】
本実施形態によれば、機密情報に接する資格を持つ人間が、印刷を停止した場合には、空白ページの挿入は行なわれず、印刷が中断する。一方において、機密情報に接する資格を持たない人間が、印刷を停止した場合には、セキュリティーの対象となる印刷内容が装置間において露出しないように、空白ページが自動的に挿入され、当該印刷内容が次段の印刷装置内に収納されるように制御が行われる。
【００３６】
３．第３の実施形態
図３に示す処理が適用されて、白紙ページの挿入が行われる場合の具体例を説明する。図５は、印刷用紙に対する印刷の状態を示す概念図である。図５には、印刷用紙１３２として、その表面が上側に示され、その裏面が下側に示されている。
【００３７】
図１および図２に示す印刷システムにおいて、連続紙に対する印刷が行われている最中に、操作端末１００が操作され、印刷の中断が指示されたとする。またこの時の印刷の状態が図５（Ａ）に示す状態であるとする。図５（Ａ）には、印刷用紙１３２に対して、ジョブ１の両面印刷が５頁まで完了し、ジョブ２〜４の印刷は、前段の印刷装置１３０による偶数ページのみの印刷が完了し、後段の印刷装置１４０による奇数ページの印刷がこれから行われる状態が示されている。ここで、ジョブ２に機密内容が印刷されているものとする。この場合、ジョブ２の印刷ジョブのデータ中には、ジョブ属性がセキュリティー保持を必要とするジョブ属性である旨を示す識別データが含まれる。なお、他のジョブ１、ジョブ３、およびジョブ４は、機密性が低く、第三者に見られても問題のない内容が印刷されているとする。
【００３８】
さて、図５（Ａ）に示す状態のタイミングにおいて印刷停止の指示が出されると、図３に示す印刷中断処理のフローがスタートする。この場合、セキュリティーの対象とするジョブ２が印刷内容に含まれているので、図３のステップＳ３０２の判定は、ＹＥＳとなり、ステップＳ３０３の判定が行われる。図５（Ａ）に示す状態は、セキュリティーの対象となるジョブ２の奇数ページが印刷装置１３０と１４０との間に位置しているので、ステップＳ３０３の判定はＹＥＳとなる。その結果、空白ページが１ページ挿入される。つまり、印刷装置１３０において、１ページ分の空白が送りだされ、図５に示す印刷用紙１３２は、図中の左方向に１ページ分だけ移動する。
【００３９】
しかしながら、図５（Ａ）の状態において、印刷用紙１３２が左に１ページ分だけ移動しても、ジョブ２の印刷内容の部分は、印刷装置１４０内に隠れない。したがって、ステップＳ３０４の後に行われるステップＳ３０３の判定が、再度ＹＥＳとなる。この結果、ステップＳ３０４に進み、再度１ページの空白ページの挿入処理が行われる。この例の場合、図５（Ａ）に示す状態において、計２ページの空白ページを印刷装置１３０側で挿入しても、まだジョブ２の３ページ目が、印刷装置１４０内に完全に隠れない。したがって、２度目のステップＳ３０４の後におけるステップＳ３０３の判定もＹＥＳとなり、３度目の空白ページの挿入処理が行われる。この結果、図５（Ｂ）に示す状態となる。
【００４０】
図５（Ｂ）に示す状態は、図５（Ａ）に示す状態から、印刷装置１３０側において、空白ページが３ページ分挿入されて、その分印刷用紙１３２全体が印刷装置１３０から印刷装置１４０の方にシフトした状態である。この場合、ステップＳ３０３の判定がＮＯとなり、印刷用紙の搬送は停止される（ステップＳ３０５）。図５（Ｂ）に示す状態となれば、ジョブ２の内容が印刷装置１４０の内部に隠れるので、ジョブ２の内容が人目に触れることはなくなる。こうして、機密性を保持したい印刷内容が装置外に露出しないようにする処理が行われる。
【００４１】
なおこの例においては、印刷装置１３０側において空白ページが挿入され、印刷用紙１３２が印刷装置１３０から印刷装置１４０に向かって搬送される際に、印刷装置１４０において、搬入された部分への印刷（この場合は、偶数ページの印刷）が行われる。
【００４２】
ステップＳ３０３の判定は、以下のようにして行われる。すなわち、光学センサー１４８は、図示しない重連マークを読み取り、その読み取り信号が、制御ユニット１４９において適当な規格のデータ信号に変換され、そのデータ信号が印刷コントローラ１２４に送られる。このデータ信号に基づいて印刷コントローラ１２４内のページ管理テーブルにページの位置に関するデータがリアルタイムに更新されつつ管理される。一方において、印刷コントローラ１２２は、印刷装置１３０側におけるページ位置を同様に管理している。したがって、フロントエンド印刷コントローラ１０１において、これら管理データと予め記憶させておいた装置間における印刷用紙１３２の長さに関するデータとに基づいて当該ジョブの位置が割り出される。そしてこの結果に基づいて、制御端末１００におけるステップＳ３０３の判定が行われる。
【産業上の利用可能性】
【００４３】
本発明は、印刷装置を２台連続配置して、連続紙に対して両面印刷を行なう技術に利用することができる。
【図面の簡単な説明】
【００４４】
【図１】発明を利用した連続構成の印刷システムの概要を示す模式図である。
【図２】発明を利用した連続構成の印刷システムの概要を示す概念図である。
【図３】実施形態の印刷システムの動作の一例を説明するフローチャートである。
【図４】実施形態の印刷システムの動作の一例を説明するフローチャートである。
【図５】印刷用紙に対する印刷の状態を示す概念図である。
【符号の説明】
【００４５】
１００…制御端末、１０１…フロントエンド印刷コントローラ、１０２…端末本体、１２２…印刷コントローラ、１２４…印刷コントローラ、１２５…バッファ兼補助搬送ユニット、１２６…用紙反転ユニット、１２７…ターンバー、１３０…印刷装置、１４０…印刷装置、１３２…印刷用紙。
【図１】
2008037077.tif 000003
【図２】
2008037077.tif 000004
【図３】
2008037077.tif 000005
【図４】
2008037077.tif 000006
【図５】
2008037077.tif 000007